(57)【要約】【課題】受信環境が劣悪な場合であっても、デジタル放送信号に基づく映像や音声の乱れを抑えることができるテレビジョン受信装置を提供する。【解決手段】デジタル放送信号を受信して復調することによりＴＳを出力する第１チューナ１１及び第１復調部２１と、デジタル放送信号を受信して復調することによりＴＳを出力する第２チューナ１２及び第２復調部２２と、を備え、第１チューナ１１と第２チューナ１２とに同一の物理チャンネルのデジタル放送信号を受信させ、第１復調部２１により出力されたＴＳと、第２復調部２２により出力されたＴＳと、から同一のＴＳパケットを取得し、取得されたＴＳパケットが、訂正不可能なエラーを有するＴＳパケットか否かを判別し、取得された同一のＴＳパケットのうち、判別された訂正不可能なエラーを有さない一のパケットを選択し、選択されたＴＳパケットを合成してＴＳをデコーダ部４に出力するよう構成した。【選択図】図１
2009260591.tif 000002
【特許請求の範囲】
【請求項１】
デジタル放送信号を受信して復調することによりトランスポートストリームを出力する受信復調手段を備えるテレビジョン受信装置において、
前記受信復調手段を複数備え、
一の前記受信復調手段と他の前記受信復調手段とに同一の物理チャンネルのデジタル放送信号を受信させ、当該一の受信復調手段により出力されたトランスポートストリームと、当該他の受信復調手段により出力されたトランスポートストリームと、から同一のパケットを取得する取得手段と、
前記取得手段により取得されたパケットが、訂正不可能なエラーを有するパケットか否かを判別する判別手段と、
前記取得手段により取得された同一のパケットのうち、前記判別手段により判別された訂正不可能なエラーを有さない一のパケットを選択する選択手段と、
前記選択手段により選択されたパケットを合成してトランスポートストリームを出力する合成手段と、
を備えることを特徴とするテレビジョン受信装置。
【請求項２】
請求項１に記載のテレビジョン受信装置において、
前記一の受信復調手段により受信されたデジタル放送信号のエラーレートを測定する測定手段と、
前記測定手段により測定されたエラーレートが所定の閾値を超えたか否かを判断する判断手段と、
を備え、
前記取得手段は、前記判断手段によって前記測定手段により測定されたエラーレートが所定の閾値を超えたと判断された場合に、前記一の受信復調手段と前記他の受信復調手段とに同一の物理チャンネルのデジタル放送信号を受信させることを特徴とするテレビジョン受信装置。
【請求項３】
請求項１又は２に記載のテレビジョン受信装置において、
前記複数の受信復調手段は、隣接妨害、マルチパス妨害及び／又はキャリア妨害を含む前記デジタル放送信号の受信妨害に対する耐性がそれぞれ異なることを特徴とするテレビジョン受信装置。
【請求項４】
デジタル放送信号を受信して復調することによりトランスポートストリームを出力する受信復調手段を備えるテレビジョン受信装置において、
隣接妨害、マルチパス妨害及び／又はキャリア妨害を含む前記デジタル放送信号の受信妨害に対する耐性がそれぞれ異なる前記受信復調手段を複数備え、
一の前記受信復調手段と他の前記受信復調手段とに同一の物理チャンネルのデジタル放送信号を受信させ、当該一の受信復調手段により出力されたトランスポートストリームと、当該他の受信復調手段により出力されたトランスポートストリームと、から同一のパケットを取得する取得手段と、
前記取得手段により取得されたパケットが、訂正不可能なエラーを有するパケットか否かを判別する判別手段と、
前記取得手段により取得された同一のパケットのうち、前記判別手段により判別された訂正不可能なエラーを有さない一のパケットを選択する選択手段と、
前記選択手段により選択されたパケットを合成してトランスポートストリームを出力する合成手段と、
前記一の受信復調手段により受信されたデジタル放送信号のエラーレートを測定する測定手段と、
前記測定手段により測定されたエラーレートが所定の閾値を超えたか否かを判断する判断手段と、
を備え、
前記取得手段は、前記判断手段によって前記測定手段により測定されたエラーレートが所定の閾値を超えたと判断された場合に、前記一の受信復調手段と前記他の受信復調手段とに同一の物理チャンネルのデジタル放送信号を受信させることを特徴とするテレビジョン受信装置。
【発明の詳細な説明】
【技術分野】
【０００１】
本発明は、テレビジョン受信装置に関する。
【背景技術】
【０００２】
従来、デジタル放送信号を受信するテレビジョン受信装置が知られている。このようなテレビジョン受信装置においては、例えば、受信環境が劣悪な場合など、エラー率が増加して、誤り訂正が不可能となる場合があり、この場合、デジタル放送信号に基づく映像や音声が乱れてしまうという問題がある。
【０００３】
そこで、例えば、チューナからトランスポートストリームを取得（内部取得）できるとともに、他の移動受信機から送信されたトランスポートストリームを取得（外部取得）でき、内部取得したトランスポートストリームのパケットに異常が発生した場合でも、外部取得したトランスポートストリームをデコードすることによって、受信できない状況を回避することができる移動受信機などが提案されている（例えば、特許文献１参照）。
また、例えば、デジタルテレビジョン信号を受信して処理することにより得たビデオ信号のうちの乱れのないフレームと、アナログテレビジョン信号を受信して処理することにより得たビデオ信号のうちの乱れのないフレームと、を合成する方法なども提案されている（例えば、特許文献２参照）。
また、例えば、放送局から送信される放送信号を受信できるとともに、送信局から送信される、放送信号に対応するデータと同一のデータに対応する信号（送信信号）を受信でき、放送信号又は送信信号に何れかに基づいて映像及び音声を再生することができる受信装置なども提案されている（例えば、特許文献３参照）。
また、例えば、複数のアンテナを備え、任意のチャンネルの放送信号を受信するアンテナを、複数のアンテナの中から常に受信状況の最良なアンテナとすることができる受信装置なども提案されている（例えば、特許文献４参照）。
【特許文献１】特開２００６−１９７１６７号公報
【特許文献２】特表２００５−５２８８５９号公報
【特許文献３】特開２００４−３６４２７２号公報
【特許文献４】特開２００５−１５９６１５号公報
【発明の開示】
【発明が解決しようとする課題】
【０００４】
しかしながら、特許文献１記載の発明では、トランスポートストリームを送信してくれる他の移動受信機が必要であり、特許文献２記載の発明ではアナログ放送信号も受信可能である必要があり、特許文献３記載の発明では、放送信号に対応するデータと同一のデータに対応する送信信号を送信する送信局が必要である。
また、特許文献４記載の発明のように、受信状況が最良なアンテナで受信しても、誤り訂正が不可能なエラーが一定の割合でランダムに発生する場合には、デジタル放送信号に基づく映像や音声が乱れてしまうという問題を十分に解決することはできない。
【０００５】
本発明の課題は、受信環境が劣悪な場合であっても、デジタル放送信号に基づく映像や音声の乱れを抑えることができるテレビジョン受信装置を提供することにある。
【課題を解決するための手段】
【０００６】
上記課題を解決するために、請求項１に記載の発明は、
デジタル放送信号を受信して復調することによりトランスポートストリームを出力する受信復調手段を備えるテレビジョン受信装置において、
前記受信復調手段を複数備え、
一の前記受信復調手段と他の前記受信復調手段とに同一の物理チャンネルのデジタル放送信号を受信させ、当該一の受信復調手段により出力されたトランスポートストリームと、当該他の受信復調手段により出力されたトランスポートストリームと、から同一のパケットを取得する取得手段と、
前記取得手段により取得されたパケットが、訂正不可能なエラーを有するパケットか否かを判別する判別手段と、
前記取得手段により取得された同一のパケットのうち、前記判別手段により判別された訂正不可能なエラーを有さない一のパケットを選択する選択手段と、
前記選択手段により選択されたパケットを合成してトランスポートストリームを出力する合成手段と、
を備えることを特徴とする。
【０００７】
請求項２に記載の発明は、
請求項１に記載のテレビジョン受信装置において、
前記一の受信復調手段により受信されたデジタル放送信号のエラーレートを測定する測定手段と、
前記測定手段により測定されたエラーレートが所定の閾値を超えたか否かを判断する判断手段と、
を備え、
前記取得手段は、前記判断手段によって前記測定手段により測定されたエラーレートが所定の閾値を超えたと判断された場合に、前記一の受信復調手段と前記他の受信復調手段とに同一の物理チャンネルのデジタル放送信号を受信させることを特徴とする。
【０００８】
請求項３に記載の発明は、
請求項１又は２に記載のテレビジョン受信装置において、
前記複数の受信復調手段は、隣接妨害、マルチパス妨害及び／又はキャリア妨害を含む前記デジタル放送信号の受信妨害に対する耐性がそれぞれ異なることを特徴とする。
【０００９】
請求項４に記載の発明は、
デジタル放送信号を受信して復調することによりトランスポートストリームを出力する受信復調手段を備えるテレビジョン受信装置において、
隣接妨害、マルチパス妨害及び／又はキャリア妨害を含む前記デジタル放送信号の受信妨害に対する耐性がそれぞれ異なる前記受信復調手段を複数備え、
一の前記受信復調手段と他の前記受信復調手段とに同一の物理チャンネルのデジタル放送信号を受信させ、当該一の受信復調手段により出力されたトランスポートストリームと、当該他の受信復調手段により出力されたトランスポートストリームと、から同一のパケットを取得する取得手段と、
前記取得手段により取得されたパケットが、訂正不可能なエラーを有するパケットか否かを判別する判別手段と、
前記取得手段により取得された同一のパケットのうち、前記判別手段により判別された訂正不可能なエラーを有さない一のパケットを選択する選択手段と、
前記選択手段により選択されたパケットを合成してトランスポートストリームを出力する合成手段と、
前記一の受信復調手段により受信されたデジタル放送信号のエラーレートを測定する測定手段と、
前記測定手段により測定されたエラーレートが所定の閾値を超えたか否かを判断する判断手段と、
を備え、
前記取得手段は、前記判断手段によって前記測定手段により測定されたエラーレートが所定の閾値を超えたと判断された場合に、前記一の受信復調手段と前記他の受信復調手段とに同一の物理チャンネルのデジタル放送信号を受信させることを特徴とする。
【発明の効果】
【００１０】
本発明によれば、デジタル放送信号を受信して復調することによりトランスポートストリームを出力する受信復調手段を備えるテレビジョン受信装置において、受信復調手段を複数備え、一の受信復調手段と他の受信復調手段とに同一の物理チャンネルのデジタル放送信号を受信させ、当該一の受信復調手段により出力されたトランスポートストリームと、当該他の受信復調手段により出力されたトランスポートストリームと、から同一のパケットを取得する取得手段と、取得手段により取得されたパケットが、訂正不可能なエラーを有するパケットか否かを判別する判別手段と、取得手段により取得された同一のパケットのうち、判別手段により判別された訂正不可能なエラーを有さない一のパケットを選択する選択手段と、選択手段により選択されたパケットを合成してトランスポートストリームを出力する合成手段と、を備えている。
すなわち、同一のパケットのうち、一方のパケットに訂正不可能なエラーがあっても、他方のパケットに訂正可能なエラーがない場合には、そのエラーのないパケットで補完することができる。したがって、受信環境が劣悪な場合であっても、デジタル放送信号に基づく映像や音声の乱れを抑えることができる。
【発明を実施するための最良の形態】
【００１１】
以下、図を参照して、本発明にかかるテレビジョン受信装置の最良の形態を詳細に説明する。なお、発明の範囲は、図示例に限定されない。
【００１２】
テレビジョン受信装置１００は、例えば、デジタル方式のテレビジョン放送信号（以下、「デジタル放送信号」という。）を受信するチューナを複数備えるテレビジョン受信装置である。
具体的には、テレビジョン受信装置１００は、例えば、チューナ装置１と、復調装置２と、合成部３と、デコーダ部４と、出力部５と、操作部６と、制御部７と、などを備えて構成される。
【００１３】
チューナ装置１は、例えば、デジタル放送信号の受信妨害に対する耐性がそれぞれ異なる第１チューナ１１及び第２チューナ１２を有している。
ここで、デジタル放送信号の受信妨害とは、例えば、隣接妨害や、マルチパス妨害、キャリア妨害などを含む妨害である。
【００１４】
具体的には、例えば、第１チューナ１１と第２チューナ１２とでデジタル放送信号の通過帯域等を異ならせることによって、第１チューナ１１と第２チューナ１２とで隣接妨害に対する耐性を異ならせる。
また、例えば、第１チューナ１１と第２チューナ１２とでマルチパス妨害やキャリアパス妨害の検出の仕方等を異ならせることによって、第１チューナ１１と第２チューナ１２とでマルチパス妨害やキャリアパス妨害に対する耐性を異ならせる。
【００１５】
第１チューナ１１は、例えば、制御部７から入力される制御信号に従って、アンテナ１１ａにより受信されたデジタル放送波の中から、選局された一の物理チャンネルに対応する周波数帯域に存在するデジタル放送信号を受信し、当該デジタル放送信号を変調して、中間周波信号を第１復調部２１に出力する。
【００１６】
第２チューナ１２は、例えば、制御部７から入力される制御信号に従って、アンテナ１２ａにより受信されたデジタル放送波の中から、選局された一の物理チャンネルに対応する周波数帯域に存在するデジタル放送信号を受信し、当該デジタル放送信号を変調して、中間周波信号を第２復調部２２に出力する。
【００１７】
復調装置２は、例えば、第１復調部２１及び第２復調部２２を有している。
【００１８】
第１復調部２１は、例えば、制御部７から入力される制御信号に従って、第１チューナ１１から入力されたデジタル放送信号（中間周波信号）に対してデジタル復調や誤り訂正（例えば、誤り訂正をリードソロモン符号によって行うリードソロモン復号）などの所定の処理を施して、トランスポートストリーム（以下、「ＴＳ」という。）を合成部３に出力する。
第２復調部２２は、例えば、制御部７から入力される制御信号に従って、第２チューナ１２から入力されたデジタル放送信号（中間周波信号）に対してデジタル復調や誤り訂正（例えば、誤り訂正をリードソロモン符号によって行うリードソロモン復号）などの所定の処理を施して、ＴＳを合成部３に出力する。
ここで、デジタル放送信号を受信して復調することによりトランスポートストリームを出力する受信復調手段は、第１チューナ１１と第１復調部２１とから構成されるとともに、第２チューナ１２と第２復調部２２とから構成される。
【００１９】
第１復調部２１や第２復調部２２により出力されるＴＳについて説明する。
ＴＳは、例えば、複数番組における圧縮デジタル映像データと、圧縮デジタル音声データと、その他のデータとのそれぞれを時分割し、必要な情報を付加して時系列で順次並べて多重化した１本のデータ列である。
ＴＳは、例えば、図２に示すように、複数のＴＳパケットから構成されており、ＴＳパケットは、ＴＳヘッダとデータ領域とから構成されている。
【００２０】
ＴＳヘッダには、ＴＳパケットの先頭を示す同期バイトと、同期バイトの次に送出される、ＴＳパケット内のビットエラーの有無を示すエラーフラグ（トランスポートエラーインジケーター）と、ＴＳパケットを識別するためのＰＩＤ（Packet Identifier；パケット識別子）と、などの情報が格納されている。
データ領域には、例えば、番組を構成する番組データやＰＳＩ（Program Specific Information）が格納されており、ＴＳパケットは、データ領域に番組データが格納されたものと、データ領域にＰＳＩが格納されたものとに分類される。
【００２１】
第１復調部２１や第２復調部２２は、ＴＳパケット内に誤りの訂正が不可能なエラーがあった場合には、エラーフラグに「１」をセットするようになっている。
具体的には、例えば、第１チューナ１１と第２チューナ１２とにより同一の物理チャンネルのデジタル放送信号が受信され、例えば、図３に示すように、第１復調部２１及び第２復調部２２により「ＴＳパケットＡ」、「ＴＳパケットＢ」及び「ＴＳパケットＣ」から構成されるＴＳが出力されるとする。
第１復調部２１により出力されたＴＳにおいては、「ＴＳパケットＡ」のエラーフラグは「０」、「ＴＳパケットＢ」のエラーフラグは「１」、「ＴＳパケットＣ」のエラーフラグは「０」であるため、「ＴＳパケットＡ」及び「ＴＳパケットＣ」は訂正不可能なエラーを有しておらず、「ＴＳパケットＢ」は訂正不可能なエラーを有していることになる。
また、第２復調部２２により出力されたＴＳにおいては、「ＴＳパケットＡ」のエラーフラグは「０」、「ＴＳパケットＢ」のエラーフラグは「０」、「ＴＳパケットＣ」のエラーフラグは「１」であるため、「ＴＳパケットＡ」及び「ＴＳパケットＢ」は訂正不可能なエラーを有しておらず、「ＴＳパケットＣ」は訂正不可能なエラーを有していることになる。
【００２２】
また、第１復調部２１は、例えば、測定手段として、制御部７から入力される制御信号に従って、第１チューナ１１により受信されたデジタル放送信号の誤り訂正前のエラーレートを測定する。
第２復調部２２は、例えば、測定手段として、制御部７から入力される制御信号に従って、第２チューナ１２により受信されたデジタル放送信号の誤り訂正前のエラーレートを測定する。
【００２３】
合成部３は、例えば、制御部７から入力される制御信号に従って、合成手段として、第１復調部２１及び第２復調部２２から入力されたＴＳに基づいて、訂正不可能なエラーを有さないＴＳパケットを合成して、ＴＳをデコーダ部４に出力する。
【００２４】
デコーダ部４は、例えば、制御部７から入力される制御信号に従って、例えば、合成部３から入力されたＴＳを解読して、当該ＴＳを構成する各ＴＳパケットを判別し、ユーザ所望の番組に関連するＴＳパケットにかかるデータを、映像データと、音声データと、などに分離する。そして、例えば、当該映像データをデコードして、出力部５が有する映像表示部５１に出力するとともに、当該音声データをデコードして、出力部５が有する音声出力部５２に出力する。
【００２５】
操作部６は、例えば、各種操作ボタンなどから構成され、オペレータにより操作されると、当該操作に伴う操作信号を制御部７に出力する。なお、操作部６は、テレビジョン受信装置１００を遠隔操作するリモートコントローラなど、その他の操作装置を備えるものとしても良い。
【００２６】
制御部７は、例えば、図１に示すように、ＣＰＵ（Central Processing Unit）７１と、ＲＡＭ（Random Access Memory）７２と、記憶部７３と、などを備えている。
【００２７】
具体的には、制御部７は、例えば、第１復調部２１及び／又は第２復調部２２により出力されたＴＳをデコーダ部４でデコードして、出力部５を用いてユーザに視聴可能となるように出力させる。
また、制御部７は、例えば、第１チューナ１１又は第２チューナ１２により受信された所定の物理チャンネルのデジタル放送信号のエラーレートが所定の閾値を超える場合には、第１チューナ１１と第２チューナ１２とに当該所定の物理チャンネルのデジタル放送信号を受信させ、合成部３において、第１復調部２１及び第２復調部２２から出力された両ＴＳをＴＳパケット毎に比較してタイミング同期を取り、エラーフラグが「１」のＴＳパケットを破棄するとともに、エラーフラグが「０」のＴＳパケットから構成されたＴＳを合成部３で合成し、合成部３により出力されたＴＳをデコーダ部４でデコードして、出力部５を用いてユーザに視聴可能となるように出力させる。
【００２８】
ＣＰＵ７１は、例えば、記憶部７３に記憶されたテレビジョン受信装置１００用の各種処理プログラムに従って各種の制御動作を行う。
【００２９】
ＲＡＭ７２は、例えば、ＣＰＵ７１によって実行される処理プログラムなどを展開するためのプログラム格納領域や、入力データや上記処理プログラムが実行される際に生じる処理結果などを格納するデータ格納領域などを備える。
【００３０】
記憶部７３は、例えば、テレビジョン受信装置１００で実行可能なシステムプログラム、当該システムプログラムで実行可能な各種処理プログラム、これら各種処理プログラムを実行する際に使用されるデータ、ＣＰＵ７１によって演算処理された処理結果のデータなどを記憶する。なお、プログラムは、コンピュータが読み取り可能なプログラムコードの形で記憶部７３に記憶されている。
【００３１】
具体的には、記憶部７３は、例えば、図１に示すように、測定制御プログラム７３１と、判断プログラム７３２と、取得プログラム７３３と、判別プログラム７３４と、選択プログラム７３５と、合成制御プログラム７３６と、などを記憶している。
【００３２】
測定制御プログラム７３１は、例えば、第１復調部２１に制御信号を入力して、第１チューナ１１により受信されたデジタル放送信号の誤り訂正前のエラーレートを測定させる機能と、第２復調部２２に制御信号を入力して、第２チューナ１２により受信されたデジタル放送信号の誤り訂正前のエラーレートを測定させる機能と、をＣＰＵ７１に実現させる。
具体的には、ＣＰＵ７１は、例えば、デジタル放送信号の受信におけるＣ／Ｎ（キャリア対ノイズ比）等に基づいて、誤り訂正前のエラーレートを測定させる。
【００３３】
判断プログラム７３２は、例えば、第１復調部２１により測定されたエラーレートが所定の閾値を超えたか否かを判断する機能と、第２復調部２２により測定されたエラーレートが所定の閾値を超えたか否かを判断する機能と、をＣＰＵ７１に実現させる。
具体的には、所定の閾値は、例えば、ＴＳパケット内の誤りが完全に訂正できないレベル等である。
ＣＰＵ７１は、かかる判断プログラム７３２を実行することによって、判断手段として機能する。
【００３４】
取得プログラム７３３は、例えば、第１チューナ１１と第２チューナ１２とに同一の物理チャンネルのデジタル放送信号を受信させ、合成部３に対して第１復調部２１により出力されたＴＳと、合成部３に対して第２復調部２２により出力されたＴＳと、から同一のＴＳパケットを取得する機能を、ＣＰＵ７１に実現させる。
【００３５】
ここで、ＣＰＵ７１は、例えば、第１チューナ１１により所定の物理チャンネルのデジタル放送信号が受信されている際、判断プログラム７３２を実行したＣＰＵ７１によって第１復調部２１により測定されたエラーレートが所定の閾値を超えたと判断された場合に、第２チューナ１２にも当該所定の物理チャンネルのデジタル放送信号を受信させるようになっている。
また、ＣＰＵ７１は、例えば、第２チューナ１２により所定の物理チャンネルのデジタル放送信号が受信されている際、判断プログラム７３２を実行したＣＰＵ７１によって第２復調部２２により測定されたエラーレートが所定の閾値を超えたと判断された場合に、第１チューナ１１にも当該所定の物理チャンネルのデジタル放送信号を受信させるようになっている。
ＣＰＵ７１は、かかる取得プログラム７３３を実行することによって、取得手段として機能する。
【００３６】
判別プログラム７３４は、例えば、合成部３において、取得プログラム７３３を実行したＣＰＵ７１により取得されたＴＳパケットが、訂正不可能なエラーを有するＴＳパケットか否かを判別する機能を、ＣＰＵ７１に実現させる。
【００３７】
具体的には、ＣＰＵ７１は、例えば、図３に示す第１復調部２１により出力されたＴＳについては、「ＴＳパケットＡ」及び「ＴＳパケットＣ」を訂正不可能なエラーを有するＴＳパケットでないと判別して、「ＴＳパケットＢ」を訂正不可能なエラーを有するＴＳパケットであると判別する。
また、ＣＰＵ７１は、例えば、図３に示す第２復調部２２により出力されたＴＳについては、「ＴＳパケットＡ」及び「ＴＳパケットＢ」を訂正不可能なエラーを有するＴＳパケットでないと判別して、「ＴＳパケットＣ」を訂正不可能なエラーを有するＴＳパケットであると判別する。
ＣＰＵ７１は、かかる判別プログラム７３４を実行することによって、判別手段として機能する。
【００３８】
選択プログラム７３５は、例えば、合成部３において、取得プログラム７３３を実行したＣＰＵ７１により取得された同一のＴＳパケットのうち、判別プログラム７３４を実行したＣＰＵ７１により判別された訂正不可能なエラーを有さない一のＴＳパケットを選択する機能を、ＣＰＵ７１に実現させる。
【００３９】
具体的には、ＣＰＵ７１は、例えば、図３に示す「ＴＳパケットＡ」については、第１復調部２１により出力されたＴＳから取得された「ＴＳパケットＡ」を選択して、第２復調部２２により出力されたＴＳから取得された「ＴＳパケットＡ」を破棄するか、或いは、第２復調部２２により出力されたＴＳから取得された「ＴＳパケットＡ」を選択して、第１復調部２１により出力されたＴＳから取得された「ＴＳパケットＡ」を破棄する。
また、ＣＰＵ７１は、例えば、図３に示す「ＴＳパケットＢ」については、第２復調部２２により出力されたＴＳから取得された「ＴＳパケットＢ」を選択して、第１復調部２１により出力されたＴＳから取得された「ＴＳパケットＢ」を破棄する。
また、ＣＰＵ７１は、例えば、図３に示す「ＴＳパケットＣ」については、第１復調部２１により出力されたＴＳから取得された「ＴＳパケットＣ」を選択して、第２復調部２２により出力されたＴＳから取得された「ＴＳパケットＣ」を破棄する。
ＣＰＵ７１は、かかる選択プログラム７３５を実行することによって、選択手段として機能する。
【００４０】
合成制御プログラム７３６は、例えば、合成部３に制御信号を入力して、選択プログラム７３５を実行したＣＰＵ７１により選択されたＴＳパケットを送出された順に合成させ、ＴＳをデコーダ部４に出力させる機能を、ＣＰＵ７１に実現させる。
【００４１】
具体的には、例えば、第１チューナ１１と第２チューナ１２とにより同一の物理チャンネルのデジタル放送信号が受信され、例えば、図３に示すように、第１復調部２１及び第２復調部２２により「ＴＳパケットＡ」、「ＴＳパケットＢ」及び「ＴＳパケットＣ」から構成されるＴＳが出力された場合、合成部３は、例えば、図４に示すような、エラーフラグが「０」である、訂正不可能なエラーを有さない「ＴＳパケットＡ」、「ＴＳパケットＢ」及び「ＴＳパケットＣ」から構成されるＴＳを出力する。
【００４２】
＜ＴＳ合成処理＞
テレビジョン受信装置１００における、訂正不可能なエラーを有さないＴＳパケットから構成されるＴＳの合成に関する処理について、図５のフローチャートを参照して説明する。
【００４３】
まず、第１チューナ１１による、所定の物理チャンネル（例えば、「物理チャンネルＮ」）のデジタル放送信号の受信が開始されると（ステップＳ１）、ＣＰＵ７１は、測定制御プログラム７３１を実行して、第１復調部２１に制御信号を入力して、第１チューナ１１により受信されたデジタル放送信号の誤り訂正前のエラーレートを測定させ、判断プログラム７３２を実行して、第１復調部２１により測定されたエラーレートが所定の閾値を超えたか否かを判断する（ステップＳ２）。
【００４４】
ステップＳ２で、第１復調部２１により測定されたエラーレートが所定の閾値を超えていないと判断すると（ステップＳ２；Ｎｏ）、ＣＰＵ７１は、ステップＳ２の処理を繰り返して行う。
【００４５】
一方、ステップＳ２で、第１復調部２１により測定されたエラーレートが所定の閾値を超えたと判断すると（ステップＳ２；Ｙｅｓ）、ＣＰＵ７１は、取得プログラム７３３を実行して、第２チューナ１２による、所定の物理チャンネル（「物理チャンネルＮ」）のデジタル放送信号の受信を開始させ（ステップＳ３）、第１復調部２１により出力されたＴＳと、第２復調部２２により出力されたＴＳと、から同一のＴＳパケットを取得する（ステップＳ４）。
【００４６】
次いで、ＣＰＵ７１は、判別プログラム７３４を実行して、ステップＳ４で取得されたＴＳパケットが、訂正不可能なエラーを有するＴＳパケットか否かを判別する（ステップＳ５）。
【００４７】
次いで、ＣＰＵ７１は、選択プログラム７３５を実行して、ステップＳ５での判別結果に基づいて、ステップＳ４で取得された同一のＴＳパケットのうち、訂正不可能なエラーを有さない一のＴＳパケットを選択する（ステップＳ６）。
【００４８】
次いで、ＣＰＵ７１は、合成制御プログラム７３６を実行して、合成部３に制御信号を入力して、ステップＳ６で選択されたＴＳパケットを送出された順に合成したＴＳをデコーダ部４に出力させ（ステップＳ７）、本処理を終了する。
【００４９】
以上説明した本発明のテレビジョン受信装置１００によれば、デジタル放送信号を受信して復調することによりＴＳを出力する第１チューナ１１及び第１復調部２１と、デジタル放送信号を受信して復調することによりＴＳを出力する第２チューナ１２及び第２復調部２２と、第１チューナ１１と第２チューナ１２とに同一の物理チャンネルのデジタル放送信号を受信させ、第１復調部２１により出力されたＴＳと、第２復調部２２により出力されたＴＳと、から同一のＴＳパケットを取得する取得プログラム７３３を実行したＣＰＵ７１と、取得されたＴＳパケットが、訂正不可能なエラーを有するパケットか否かを判別する判別プログラム７３４を実行したＣＰＵ７１と、取得された同一のＴＳパケットのうち、訂正不可能なエラーを有さない一のＴＳパケットを選択する選択プログラム７３５を実行したＣＰＵ７１と、選択されたＴＳパケットを合成してＴＳを出力する合成部３と、を備えている。
すなわち、同一のＴＳパケットのうち、一方のＴＳパケット（例えば、第１復調部２１により出力されたＴＳを構成するＴＳパケット）に訂正不可能なエラーがあっても、他方のＴＳパケット（例えば、第２復調部２２により出力されたＴＳを構成するＴＳパケット）に訂正不可能なエラーがない場合は、そのエラーのないＴＳパケットで補完することができる。ここで、複数のチューナを搭載するテレビジョン受信装置１００において、同一のＴＳパケットの双方に、訂正不可能なエラーがある場合は少ない。したがって、受信環境が劣悪な場合であっても、デコーダ部４に出力するＴＳの総合的なエラー率を低減させることができるため、デジタル放送信号に基づく映像や音声の乱れを抑えることができる。
【００５０】
また、以上説明した本発明のテレビジョン受信装置１００によれば、第１復調部２１は、第１チューナ１１により受信されたデジタル放送信号のエラーレートを測定できるとともに、第２復調部２２は、第２チューナ１２により受信されたデジタル放送信号のエラーレートを測定でき、テレビジョン受信装置１００は、第１復調部２１又は第２復調部２２により測定されたエラーレートが所定の閾値を超えたか否かを判断する判断プログラム７３２を実行したＣＰＵ７１を備え、エラーレートが所定の閾値を超えたと判断された場合に、第１チューナ１１と第２チューナ１２とに同一の物理チャンネルのデジタル放送信号を受信させるようになっている。
すなわち、受信されたデジタル放送信号のエラーレートが所定の閾値を超えた場合に、訂正不可能なエラーがあるＴＳパケットを、訂正不可能なエラーがないＴＳパケットで補完する処理を行うため、デジタル放送信号に基づく映像や音声の乱れを効率よく抑えることができる。
【００５１】
また、以上説明した本発明のテレビジョン受信装置１００によれば、第１チューナ１１及び第２チューナ１２は、隣接妨害、マルチパス妨害及び／又はキャリア妨害を含むデジタル放送信号の受信妨害に対する耐性がそれぞれ異なる。
したがって、例えば、複数の異なる種類の受信妨害が同時に発生しても、デコーダ部４に出力するＴＳの総合的なエラー率を低減させることができるため、デジタル放送信号に基づく映像や音声の乱れを抑えることができる。
【００５２】
なお、本発明は、上記した実施の形態のものに限るものではなく、その要旨を逸脱しない範囲で適宜変更可能である。
【００５３】
ＴＳパケット合成処理（図５）においては、第２チューナ１２による、「物理チャンネルＮ」のデジタル放送信号の受信が開始されると、第２復調部２１により測定されたエラーレートが所定の閾値を超えたか否かを判断し、そして、第２復調部２２により測定されたエラーレートが所定の閾値を超えたと判断すると、第１チューナ１１による、「物理チャンネルＮ」のデジタル放送信号の受信を開始させ、ステップ４以降の処理を行うようにしても良い。
【００５４】
エラーレートが所定の閾値を超えていない場合も、訂正不可能なエラーがあるＴＳパケットを、訂正不可能なエラーがないＴＳパケットで補完する処理を行っても良い。すなわち、エラーレートが所定の閾値を超えたか否かの判断は、必ずしも行わなくて良い。
【００５５】
第１チューナ１１と第２チューナ１２とは、デジタル放送信号の受信妨害に対する耐性が同一であっても良い。
【００５６】
チューナ装置１が備えるチューナの個数及び復調装置２が備える復調部の個数は、複数であれば任意である。
【００５７】
テレビジョン受信装置１００は、出力部５に加えて（又は、出力部５に代えて）、第１復調部２１、第２復調部２２、合成部３により出力されたＴＳを録画する録画部などを備える構成であっても良い。
【図面の簡単な説明】
【００５８】
【図１】本発明のテレビジョン受信装置の機能的構成を示すブロック図である。
【図２】ＴＳのデータ構造を示す図である。
【図３】図１に示す第１復調部及び第２復調部から出力されるＴＳの一例を説明するための図である。
【図４】図１に示す合成部から出力されるＴＳの一例を説明するための図である。
【図５】本発明のテレビジョン受信装置における、訂正不可能なエラーを有さないＴＳパケットから構成されるＴＳの合成に関する処理について説明するためのフローチャートである。
【符号の説明】
【００５９】
３  合成部（合成手段）
１１  第１チューナ（受信復調手段）
１２  第２チューナ（受信復調手段）
２１  第１復調部（受信復調手段、測定手段）
２２  第２復調部（受信復調手段、測定手段）
７１  ＣＰＵ（判断手段、取得手段、判別手段、選択手段）
７３２  判断プログラム（判断手段）
７３３  取得プログラム（取得手段）
７３４  判別プログラム（判別手段）
７３５  選択プログラム（選択手段）
１００  テレビジョン受信装置
【図１】
2009260591.tif 000003
【図２】
2009260591.tif 000004
【図３】
2009260591.tif 000005
【図４】
2009260591.tif 000006
【図５】
2009260591.tif 000007